(57)【要約】【課題】    使用中にコップなどのぐら付き又は転倒を確実に防止することができるコースターを提供すること。【解決手段】    コースターの素材がネオプレーン（発泡ゴム）である。コースター主体１０の中心部にコップなどを密着保持するための保持透孔１１を設ける。保持透孔１１の直径はコップ２などの底部外径より小さく形成されている。コップ２などを保持透孔１１に差し込んだ時、コースター主体１０はコップ２などと接触している部分が圧縮されて断面形状が傘状に変形する。コップ２などを密着保持したコースター主体１０を、傘状に変形したままテーブルに押し付けて吸着させる。【選択図】    図１
2011098029.tif 000002
【特許請求の範囲】
【請求項１】
コースターの素材が、ネオプレーン（発泡ゴム）からなり、コースター主体（１０）の中心部にコップなどを密着保持するための保持透孔（１１）を設けたものであって、上記保持透孔の直径がコップなどの底部外径より小さく形成されており、上記コースター主体の上記差込み口をコップなどの底部近傍に密着保持して当該コースター主体を断面傘状に変形してからテーブルに吸着させることを特徴とするコースター。
【請求項２】
コースター主体（１０）は、直径が保持透孔（１１）の直径の略３倍程度の大きさに形成されていることを特徴とする請求項１に記載のコースター。
【発明の詳細な説明】
【技術分野】
【０００１】
本発明は、コースターに関するものであり、さらに詳しくはコップなどの敷き具として使用するコースターに関している。
【背景技術】
【０００２】
コップなどの転倒を防ぐことができるコースターは知られており、代表的なものが特許文献１，２に記載されている。
【特許文献１】特開２００２−２４８０４４号公報
【特許文献２】特開２００６−２１８２６５号公報
【０００３】
特許文献１に記載のコースターは、断面円弧状に湾曲させたコースター３の主体が底部１１，１３を有するとともに、頂部にコップ差込み口６を形成したものであって、コップ差込み口６の周縁部に複数のべろ２を設けたものであり、コースターの主体に設けたコップ差込み口からコップを差し込んで使用するものである。
【０００４】
特許文献１のコースターは、コップ差込み口６からコップを差し込んで使用するものであるから、コップの転倒を防ぐことができると説明されているが、コップがコースターに対して自由状態で保持されているので、コップがコップ差込み口に固定されず転倒防止効果が十分発揮されないという問題があった。
【０００５】
また、特許文献２に記載のコースターは、断面円弧状に湾曲させたコースターの本体１の頂部にコップ差込み用の穴４を形成するとともに、穴４の内周部に、ヒダ３を形成したスポンジシート２を設けたものである。
【０００６】
特許文献２のコースターは、穴４が、スポンジシート２の弾力性とヒダによりコップを程よく固定するものであり、またスポンジシート２はコップに発生した結露の水分を吸い取る効果があると説明されているが、この場合も、穴４の直径がコップより大きいので、特許文献１の場合と同様に、コップの転倒防止効果が十分発揮されないという問題が残っている。
【発明の開示】
【発明が解決しようとする課題】
【０００７】
本発明が解決しようとする課題は、使用中にコップなどのぐら付き又は転倒を確実に防止することができるコースターを提供することである。
【課題を解決するための手段】
【０００８】
解決手段の第１は、コースターの素材が、ネオプレーン（発泡ゴム）からなり、コースター主体の中心部にコップなどを密着保持するための保持透孔を設けたものであって、上記保持透孔の直径がコップなどの底部外径より小さく形成されており、上記コースター主体の上記差込み口をコップなどの底部近傍に密着保持して当該コースター主体を断面傘状に変形してからテーブルに吸着させることを特徴とするものである。
【０００９】
解決手段の第２は、解決手段の第１において、コースター主体の直径が保持透孔の直径の略３倍程度の大きさに形成されていることを特徴とするものである。
【発明の効果】
【００１０】
請求項１は、素材がネオプレーン（発泡ゴム）であり、コースター主体の中心部に保持透孔を設けたものであって、保持透孔の直径がコップなどの底部外径より小さく形成されているので、コースターの使用時は、保持透孔にコップなどの底部近傍を差し込んで密着保持させてコースター主体を断面傘状に変形してから、コースター主体をコップなどと共にテーブルに載置し、コップなどをテーブルに押し付けることでコースター主体が吸着力を発揮して吸着するものであって、コースター主体がテーブルに吸着しているので、コップなどのぐら付き又は転倒を確実に防止することができる効果がある。
【００１１】
請求項２は、コースター主体の直径が、中心部に設けた保持透孔の直径の略３倍程度の大きさに形成されているから、保持透孔にコップなどを差し込んだ時、コップなどに対するコースター主体の保持力が増し、コップなどのぐら付き又は転倒をよりいっそう確実に防止することができる効果がある。
【図面の簡単な説明】
【００１２】
【図１】コースター及びコップを示す斜視図。
【図２】コースターをコップの底部近傍に装着した状態を示す断面図。
【図３】コースターの使用状態を示す断面図。
【発明を実施するための形態】
【００１３】
図１において、コースター１は、ネオプレーン素材（発泡ゴム）からなるものであり、コースター主体１０の中心部にコップ２などを密着保持するための保持透孔１１を設けたものである。
【００１４】
実施形態において、コースター主体１０の形状は平面円形であるが、形状及び大きさは任意である。また、保持透孔１１の直径（ｌ）は、コップ２などの底部外径（Ｌ）よりも小さく形成されている。
【００１５】
保持透孔１１にコップ２などの底部近傍を差し込むと、コースター主体１０は、コップ２などの底部周面と接触している部分が圧縮されて密着保持するので、当該コースター主体１０が断面傘状に変形して保持される（図２）。この状態でコースター主体１０をコップ２などと共にテーブルに押し付けると、コースター主体１０とテーブル３との間が負圧になってコースター主体１０に吸着力が発生してテーブル３に吸着する（図３）。これによりコップ２などのぐら付き又は転倒を確実に防止することができるようになる。
【００１６】
テーブル３に吸着されたコースター主体１０は、周縁部を持ち上げることでコースター主体１０とテーブル３との間が大気圧になり、コースター主体１０を簡単にテーブル３から剥がすことができるので、コップ２などに注がれた飲み物を飲むときは、コースター主体１０をテーブルから剥がし、コップ２にコースター主体１０を付けたまま残っている飲み物を飲む。そして、再びコップ２などをテーブル３に戻すときは、上記した手順によりコースター主体１０をテーブル３に吸着させる。
【００１７】
なお、実施形態において、コースター主体１０は、直径が保持透孔１１の直径の略３倍程度の大きさに形成されている。換言すれば、コースター主体１０に形成される環状主体１０ａの幅寸法が、保持透孔１１の直径寸法と略同一寸法に形成されることが好ましい（図１を参照）。
【００１８】
この他、コースター主体１０の厚みは、２〜１０ｍｍがよく、好ましくは３〜５ｍｍ程度がよい。
【００１９】
底部外径が５０ｍｍのコップなどに適合するコースターの実施例
コースター主体１０の直径：１０５ｍｍ
保持透孔１１の直径：３５ｍｍ
コースター主体１０の厚み：３ｍｍ
【００２０】
本発明は、上記の構成からなり、コースター主体１０の保持透孔１１にコップ２などの底部近傍を差し込んで使用する。
【００２１】
実施形態では、コースター主体１０の保持透孔１１がコップ２などの底部外径寸法より小さく形成されているから、保持透孔１１にコップ２などを差し込んだ場合は、保持透孔１１の開口部が圧縮されてコップ２などの底部外周に密着保持し、コースター主体１０は断面傘状に変形する。そこで傘状に変形したコースター主体１０をコップ２などと共にテーブル３に押し付けると、当該コースター主体１０の傘状部分が吸着力を発揮してテーブル３に吸着する。これによって、コップ２などのぐら付き又は転倒が確実に防止できものとなる。
【００２２】
また、実施形態では、コースター主体１０の直径が保持透孔１１の直径の略３倍の大きさに形成されているので、コップ２などに対するコースター主体１０の保持力が増し、使用中に、コップ２などがぐら付いたり又は転倒したりすることがよりいっそう確実に防止し得るものとなる。
【００２３】
本発明のコースターは、コップの敷き具として使用できるだけでなく、ビン、缶、ペットボトルなどの敷き具として使用することができることは勿論である。
【符号の説明】
【００２４】
１  コースター
２  コップ
３  テーブル
１０  コースター主体
１１  保持透孔
【図１】
2011098029.tif 000003
【図２】
2011098029.tif 000004
【図３】
2011098029.tif 000005